(57)【特許請求の範囲】
【請求項１】
モータの駆動にて座部を昇降操作するようにした椅子の昇降装置において、脚部の脚片間の隙間に配設したフットスイッチ機構と、脚部の中心に、駆動軸を上方に向けて配設した、前記フットスイッチ機構にて制御されて正逆回転するモータと、該モータの駆動軸により回転するスクリューロッドを備えた座部昇降機構と、該座部昇降機構の内筒と外筒間に組み込んだ旋回規制機構及び昇降行程規制機構とから構成したことを特徴とする椅子の昇降装置。
【請求項２】
フットスイッチ機構を、操作ボックス内に配設した駆動操作用基板に取り付けた磁気感知式センサーと、操作ボックスに踏み込み可能に配設し、かつ踏み込むことにより前記磁気感知式センサーを作動させるマグネットを備えたフットスイッチペダルとから構成したことを特徴とする請求項１記載の椅子の昇降装置。
【請求項３】
座部昇降機構を、スクリューロッドと、該スクリューロッドに外嵌した内筒と、内筒の下端部に固定しスクリューロッドと螺合した主螺合体と、該主螺合体とキックばねを介して接続され、スクリューロッドに螺合する副螺合体と、内筒に外嵌した外筒とから構成したことを特徴とする請求項１又は２記載の椅子の昇降装置。
【請求項４】
旋回規制機構を、外筒に形成したボール嵌挿孔に嵌挿し、ボール留め具により中心に向けて常時押圧状態に保持したボールと、該ボールが摺動可能に嵌合されるとともに、設定圧以上の旋回力にてボールの嵌合が解除される、内筒の長手方向に形成したボール嵌挿溝とより構成したことを特徴とする請求項１、２又は３記載の椅子の昇降装置。
【請求項５】
昇降行程規制機構を、外筒の座部昇降行程の最上昇位置及び最下降位置に取り付けた磁気感知式センサーと、該磁気感知式センサーを作動させる内筒の下端位置に取り付けたマグネットとから構成し、該マグネットをリング状に形成したことを特徴とする請求項１、２、３又は４記載の椅子の昇降装置。
【発明の詳細な説明】
【０００１】
【発明の属する技術分野】
本発明は、椅子の昇降装置に関し、特に、理容所あるいは美容院において使用される椅子（本明細書において、「理美容用椅子」という。）において、座部の昇降及び旋回を、小形で簡易な機構によって、円滑に行えるようにした椅子の昇降装置に関するものである。
【０００２】
【従来の技術】
従来、理容所あるいは美容院において使用される椅子は、作業性に鑑み、座部を昇降及び旋回可能に支持し、座部の昇降操作を両手が塞がっていても行うことができるようにフットスイッチにて行うようにしている。
この昇降装置としては、油圧式のものと電動式のものとがあるが、このうち油圧式昇降装置は、機構が複雑で高価となるため、特に、簡易な機構で安価な電動式昇降装置が提案されている（例えば、実開平６−８４９４４号公報、特開平７−２９８９４２号公報参照）。
【０００３】
【発明が解決しようとする課題】
しかしながら、上記従来の電動式昇降装置は、例えば、実開平６−８４９４４号公報に開示されているように、座部を昇降させる駆動軸の下端にモータを配設し、この駆動軸及びモータの外周部を、昇降する筒体で覆うようにしているため、座部の下方の軸部分の外径が大きくなり、製品としてのスマートさがなくなるという問題があった。
また、座部の昇降操作を行うフットスイッチは、椅子本体とは別に設けて、通常は、床上に設置するようにしているので、設置場所が移動したり、作業中に躓くことが多く、作業性が低下するという問題があった。
さらに、旋回する座部を定位置で停止させる装置として、実開昭６２−１５５６５０号公報、特開平８−５６７７０号公報に開示されたものがあるが、この装置は、昇降軸の上端外周部に突設するようにしているため、部品点数が多く、機構が複雑になるという問題があった。
【０００４】
本発明は、従来の理美容用椅子の電動式昇降装置の有する問題点に鑑み、座部の昇降及び旋回を、小形で簡易な機構によって、円滑に行えるようにした椅子の昇降装置を提供することを目的とする。
【０００５】
【課題を解決するための手段】
上記目的を達成するため、本発明の椅子の昇降装置は、モータの駆動にて座部を昇降操作するようにした椅子の昇降装置において、脚部の脚片間の隙間に配設したフットスイッチ機構と、脚部の中心に、駆動軸を上方に向けて配設した、前記フットスイッチ機構にて制御されて正逆回転するモータと、該モータの駆動軸により回転するスクリューロッドを備えた座部昇降機構と、該座部昇降機構の内筒と外筒間に組み込んだ旋回規制機構及び昇降行程規制機構とから構成したことを特徴とする。
【０００６】
この椅子の昇降装置は、座部を昇降操作するフットスイッチ機構を、椅子の脚部の脚片間の隙間に配設するようにしているため、従来の床置式のフットスイッチのように、その設置場所が移動したり、作業中に躓くことがなく、また、安定して操作できるため、作業性を向上することができ、また、脚部の中心に、駆動軸を上方に向けて配設したモータの駆動軸により回転するスクリューロッドを備えた座部昇降機構の内筒と外筒間に旋回規制機構及び昇降行程規制機構とを組み込むようにしているので、スクリューロッド、内筒、及び外筒が嵌挿式構造となり、埃等の侵入が防止できることと相俟って、座部の昇降及び旋回を、小形で簡易な機構によって、円滑に行うことができ、デザイン的にもスマートな外観とすることができる。
【０００７】
この場合において、フットスイッチ機構を、操作ボックス内に配設した駆動操作用基板に取り付けた磁気感知式センサーと、操作ボックスに踏み込み可能に配設し、かつ踏み込むことにより前記磁気感知式センサーを作動させるマグネットを備えたフットスイッチペダルとから構成することができる。
【０００８】
これにより、磁気感知式センサーをマグネットにて作動させるようにして、無接点とすることができるので、埃の多い作業所での電気接点の接触不良事故を未然に防止することができ、また、使用部品点数が少なくなり、機構が簡易であることと相俟って、埃等による故障の発生を低減し、作業の確実性を向上することができる。
【０００９】
また、座部昇降機構を、スクリューロッドと、該スクリューロッドに外嵌した内筒と、内筒の下端部に固定しスクリューロッドと螺合した主螺合体と、該主螺合体とキックばねを介して接続され、スクリューロッドに螺合する副螺合体と、内筒に外嵌した外筒とから構成することができる。
【００１０】
これにより、埃等による故障の発生を低減することができるとともに、スクリューロッドと主螺合体間のバックラッシュを副螺合体により吸収することにより座部の昇降動作が円滑となり、使用感を向上させることができる。
【００１１】
また、旋回規制機構を、外筒に形成したボール嵌挿孔に嵌挿し、ボール留め具により中心に向けて常時押圧状態に保持したボールと、該ボールが摺動可能に嵌合されるとともに、設定圧以上の旋回力にてボールの嵌合が解除される、内筒の長手方向に形成したボール嵌挿溝とより構成することができる。
【００１２】
これにより、小形で簡易な機構によって、昇降行程のいずれの位置においても、座部の旋回及び旋回規制を機能させることができる。
【００１３】
また、昇降行程規制機構を、外筒の座部昇降行程の最上昇位置及び最下降位置に取り付けた磁気感知式センサーと、該磁気感知式センサーを作動させる内筒の下端位置に取り付けたマグネットとから構成し、該マグネットをリング状に形成することができる。
【００１４】
これにより、内筒の下端位置に取り付けたマグネットがリング状に形成されているため、内筒及びマグネットが座部と共に旋回してどの角度にあっても、このマグネットを外筒に取り付けた磁気感知式センサーにて感知することができるとともに、無接点方式のため、スクリューロッドや螺合体等の可動部に塗られたグリスが飛散し、センサー等に付着しても支障がなく、確実に動作させることができる。
【００１５】
【発明の実施の形態】
以下、本発明の椅子の昇降装置の実施の形態を図面に基づいて説明する。
【００１６】
図１〜図８に、本発明の椅子の昇降装置の一実施例を示す。
図において１は、電動式の座部昇降機構で、これは下部に高さを微調整できる固定脚２１又は移動可能なようにキャスター（図示省略）を取り付けた脚部２のほぼ中心部に、垂直方向に取り付けるとともに、座部昇降機構１の上部に背もたれ４を備えた座部３を取り付けて構成する。
そして、この座部３は、座部昇降機構１の上部に旋回可能に取り付けられている。
【００１７】
脚部２は、従来から理容所や美容院において使用されている複数本の脚片を有するものや平面円形のもの等、安定性のよい任意の形態のものを採用することができ、特に限定されるものではないが、図示の実施例では、５本の脚片２１を有し、この５本の脚片２１が集まる中心部に座部昇降機構１をほぼ垂直上方に突出するように配設するようにしている。
【００１８】
座部昇降機構１は、図１に示すように、椅子の安定したベースとなる脚部２の中央部に垂直方向に突設固定した外筒１０と、外筒１０内に旋回及び昇降可能に嵌挿した内筒１１と、内筒１１内に嵌挿し、かつ下部に配設したモータ１８にて回転駆動するスクリューロッド１２と、スクリューロッド１２に螺合し、内筒１１の下部に螺合等にて固定した螺合体１３と、外筒１０の上部に配設した旋回規制機構１４と、昇降行程規制機構１５とより構成される。
【００１９】
外筒１０は、座部３の昇降行程Ｈよりも大となる長さと、所要強度を有するようにした外径とを備えた筒状に形成し、その下部を直接又は図示のように取付フランジ１０１、取付ボルト１０２を介して脚部２の中央部に直立するように固定する。
この外筒１０の外周部には、必要に応じて、外筒１０の外周面及び外筒１０の取付部を覆うようにしたカバー１６を配設することもできる。
これにより、座部昇降機構１の外部を細くスマートにしっくりさせ、美しく仕上げるようにすることができる。
【００２０】
外筒１０の上部外周位置には、図１（Ａ）、（Ｂ）に示すように、旋回規制機構１４を配設する。
この旋回規制機構１４は、外筒１０の外周方向に沿ってほぼ等間隔、例えば、本実施例では、９０度ずつ４箇所に、ボール嵌挿孔１０３を形成し、この各ボール嵌挿孔１０３に、外筒１０の肉厚よりも直径の大なるボール１４Ｂを嵌挿するとともに、ボール１４Ｂが外筒１０より離脱しないようにボール嵌挿位置の外筒１０の外周部に形成した窪み１０ａ内に、環状ばね板製のボール留め具１４Ｃを嵌合し、常にボール１４Ｂを外筒１０の内周方向へ押圧するように形成して構成する。
これにより、ボール１４Ｂは、ボール留め具１４Ｃにて外筒１０の中心に向かう方向に常に押圧されているから、ボール１４Ｂの一部が常に外筒１０の内周面より露出するようになり、座部３を固定した内筒１１の旋回を可能としながら、設定された外力が加えられない限り旋回しないようにして、内筒１１及び座部３の旋回を規制することができるようにする。
【００２１】
また、外筒１０には、座部３の昇降行程Ｈとなる間隔とし、かつ鉛直方向の下部位置と上部位置に、センサー取付孔１０４，１０４を形成し、この各センサー取付孔１０４，１０４に磁気感知式センサー１５ａ，１５ｂを取り付け、この上下のセンサー１５ａ，１５ｂと対向して、センサー１５ａ，１５ｂを作動させるリング状に形成したマグネット１３Ｍを螺合体１３側に取り付け、スクリューロッド１２の回転により外筒１０内にて内筒１１の昇降と共に螺合体１３を昇降させ、座部３の昇降行程を規制するようにする。
【００２２】
これにより、スクリューロッド１２の旋回により内筒１１が螺合体１３と共に昇降する際、上部位置のセンサー１５ａの位置に、マグネット１３Ｍが達したとき、このマグネット１３Ｍをセンサー１５ａにて検知し、座部３の許容された最上昇位置を検知してモータ１８を停止し、座部３の上昇を停止させる。
また、同様に、下部位置のセンサー１５ｂの位置に、マグネット１３Ｍが達したとき、このマグネット１３Ｍをセンサー１５ｂにて検知し、座部３の許容された最降下位置を検知してモータ１８を停止し、座部３の降下を停止させる。
これにより、内筒１１の下端位置の螺合体１３に取り付けたマグネット１３Ｍがリング状に形成されているため、内筒１１及びマグネット１３Ｍが、座部３と共に旋回してどの角度にあっても、このマグネット１３Ｍを外筒１０に取り付けた磁気感知式センサー１５ａ，１５ｂにて感知することができるとともに、無接点方式のため、スクリューロッド１２や螺合体１３等の可動部に塗られたグリスが飛散し、センサー１５ａ，１５ｂ等に付着しても支障がなく、確実に動作させることができるものとなる。
【００２３】
なお、内筒１１は、外筒１０内でがたつくことなく円滑に旋回、昇降可能となるように挿通する外径を有するもので、外筒内に挿通した内筒１１の上端は、最降下位置にあっても外筒１０の上端より突出する長さを有し、この内筒１１の上端に座部３を取り付けるようにするとともに、この内筒１１の上端部の外周に取り付けた取付具１９と、外筒１０の上端部間に、旋回規制機構１４の外周部分を覆うように、伸縮可能な蛇腹部材１７を取り付け、これにより、旋回規制機構１４内への埃などの侵入を防止するようにする。
【００２４】
また、内筒１１には、ボール１４Ｂの一部を嵌合するため、その外周面に垂直方向、すなわち、内筒の長手方向のほぼ全長に亘って、複数本のガイド溝１１１を、本実施例では、周方向に９０度の等間隔で４本のガイド溝１１１を形成する。
このガイド溝１１１は、外筒１０のボール嵌挿孔１０３内に嵌挿されたボール１４Ｂの一部が転動可能となるように、図１（Ｂ）及び図２（Ｂ）に示すように、底面を円弧形とすることが望ましい。
【００２５】
このガイド溝１１１の形成位置及び形成数は、外筒１０側に配設したボール１４Ｂの配設位置及びその数と一致するようにする。
これにより、内筒１１の上端に固定された座部３を旋回させるには、座部３を望む方向へ強く旋回させると、座部３の下方に固定された内筒１１も同時に旋回されて、ガイド溝１１１に嵌合されていたボール１４Ｂは、ガイド溝１１１より内筒１１の外周面方向へ移動するようになり、これにより、環状ばね板製のボール留め具１４Ｃを押し広げる。
このように、この内筒１１の旋回によりボール１４Ｂはガイド溝１１１よりはみ出すようになる。
そして、隣接された次のガイド溝１１１の位置までくると、再びボール１４Ｂはこのガイド溝１１１に嵌合され、内筒１１の旋回を停止することができる。
本実施例の場合は、内筒１１の周方向にガイド溝が９０度間隔で配設されているので、座部３及び内筒１１の旋回角度は９０度ごとになる。
【００２６】
また、内筒１１の下端には螺合体１３を一体に設ける。
この螺合体１３は、図２に示すように、スクリューロッド１２に螺合し、かつ内筒１１の下端を固定する主螺合体１３Ａと、この主螺合体１３Ａの上部位置でスクリューロッド１２に螺合する副螺合体１３Ｂと、この主螺合体１３Ａと副両螺合体１３Ｂ間を連結接続し、かつその間隔を調整可能とするように配設したばね１３Ｃとより構成する。
この主螺合体１３Ａは、本実施例では、内筒１１の下端部に螺合により一体としているが、その他溶接などにて固定することもできる。
また、このばね１３Ｃはキックばねで以て構成し、一端を主螺合体１３Ａのばね係止孔１３１に、他端を副螺合体１３Ｂのばね係止孔１３２にそれぞれ係止し、これによりスクリューロッド１２の回転により螺合体１３と内筒１１が共に上下方向に移動する際、副螺合体１３Ｂがスクリューロッド１２との共廻りを防止し、かつ主螺合体１３Ａに対し副螺合体１３Ｂはばね１３Ｃを介してスクリューロッド１２の長手方向に移動可能としているので、このばね１３Ｃにより螺合体１３とスクリューロッド１２との間のバックラッシュを吸収するようにする。
【００２７】
主螺合体１３Ａ及び副螺合体１３Ｂには、その内部にスクリューロッド１２に螺合できるねじ孔１３ｅが形成され、かつ外筒１０内で旋回、上下方向への摺動が行えるように、主螺合体１３Ａの外径を定めるとともに、主螺合体１３Ａの下部位置の外周部には、マグネット１３Ｍを取り付けるようにする。
【００２８】
また、図３に、螺合体１３の変形実施例を示す。
ここでは、スクリューロッド１２に螺合する主螺合体１３Ａと副螺合体１３Ｂ間に、ばね１３Ｃを配設し、主螺合体１３Ａに対し副螺合体１３Ｂが常に離間するように作用させ、ばね１３Ｃを介してスクリューロッド長手方向に移動可能とし、これにより主螺合体１３Ａと副両螺合体１３Ｂ間の間隔を可調整的に支持する。
また、副螺合体１３Ｂにはキー１３３を嵌合してスクリューロッド１２との共廻りを防止する。
このキー１３３は、内筒１１に形成したガイド溝１１１内にキー螺合孔１１２を形成し、このキー螺合孔１１２にキー１３３を螺合するとともに、副螺合体１３Ｂの外周面の長手方向に沿って形成したキー溝１３４に、キー１３３の先端を摺動可能に嵌挿し、かつキー１３３の基端側は、図３（Ｂ）に示すように、ガイド溝１１１内に収まり、内筒１１の外筒１０内での旋回及び上下方向の移動に支障ないようにする。
この変形実施例のその他の構成及びその作用は、図２に示す実施例と同じである。
【００２９】
スクリューロッド１２を旋回させるモータ１８は、図４に示すように、スクリューロッド１２の直下位置で、かつ基部である脚部２の中央部に配設する。
この場合、脚部２と床面との空間内に収まるようにし、モータ１８の駆動軸１８Ｓにてスクリューロッド１２を直接駆動するが、このモータ１８は脚部２より上方には突出しないようにし、外観をすっきりさせる。
【００３０】
また、モータ１８の回転制御は、図８に示す回路構成からなる制御回路によって行われる。
これは、商用電源の交流１００Ｖを、直流１４０Ｖに変換して使用し、モータ１８が低速回転時においても大きなトルクを発生させて、スクリューロッド１２を回転駆動し、座部３に人が着座した荷重のかかった状態でも、小形のモータ１８で容易に昇降操作が行えるようにする。
なお、モータ１８には、本実施例以外の構成のモータを採用することができ、さらに、制御回路も、本実施例以外の方式のものを採用することができる。
【００３１】
モータ１８の回転駆動及び回転方向の操作は、図５〜図８に示すフットスイッチ機構５により行う。
このフットスイッチ機構５は、ベースとなる脚部２に、かつ椅子の移動、さらには、座部３に着座した人や理美容の施術者に支障のない位置、例えば、図７に示すように、５本ある脚片２１間の隙間に配設し、脚部２にビス止め等にて固定するようにする。
そして、このフットスイッチ機構５の操作ボックス５１内には、駆動操作用基板５２と、駆動操作用基板５２に取付具５９を介して固定した磁気感知式センサー５３と、操作ボックス５１の上部に配設し、踏み込むことにより磁気感知式センサー５３により検知可能としたフットスイッチペダル５４とを配設する。
【００３２】
このフットスイッチペダル５４は、図５に示すように、足で容易に踏み込むことができる大きさに形成し、下部に操作ロッド５４Ｌを操作ボックス５１に形成したガイド部５０にて上下方向に摺動可能に支持し、ガイド部５０とフットスイッチペダル５４間に介在したばね５７によりフットスイッチペダル５４を押し上げるように作用させるとともに、操作ロッド５４Ｌの下端外周部に磁気感知式センサー５３を作動させるマグネット５Ｍを取り付ける。
この場合、操作ロッド５４Ｌの下端には、ばね５７が伸張した状態で、最上昇位置を保持するように、ストッパ５４Ｓを取り付けるとともに、また、フットスイッチペダル５４を最下段まで踏み込んだとき、それ以上の降下を防止するようにガイド部５０の上端を少し突出させてストッパー５８を形成するようにする。
このフットスイッチペダル５４は、図７に示すように、座部３の上昇操作用と下降操作用の２つを隣接配置する。
【００３３】
駆動操作用基板５２上に固定した磁気感知式センサー５３は、操作ロッド５４Ｌを予め定めた位置まで押し下げたとき、操作ロッド５４Ｌの下端外周部に固定したマグネット５Ｍと対向又は近接した磁気によりセンサー５３が作動するように配設し、この操作ロッド５４Ｌの押し下げ位置を、センサー５３にて検知し、基板５２の回路を介してモータ１８をＯＮ，ＯＦＦさせるものである。
なお、フットスイッチペダル５４の上下方向の移動を円滑に行うため、操作ロッド５４Ｌの外周面にリング状の溝５４Ｍを形成し、この溝５４Ｍ内にＯリング５６を嵌合することができる。
これにより、操作ロッド５４Ｌをガイド部５０で円滑に摺動可能に保持できるようにするとともに、フットスイッチペダル５４が操作ロッド５４Ｌを中心として旋回しても、どの旋回角度でも感知、操作できるものとなる。
【００３４】
次に、この椅子の昇降装置の動作について説明する。
座部を昇降操作するフットスイッチペダル５４は、椅子の脚部２に固定し、従来のように床置式でないので、椅子を移動した位置に、しかも床面上方位置に常にあるため、理美容の施術者は椅子をセットした位置で足踏みにて操作することができる。
【００３５】
座部３の昇降用又は下降用のいずれかのフットスイッチペダル５４を踏むと、その踏み代に応じてフットスイッチペダル５４及びこれと一体とした操作ロッド５４Ｌが、ばね圧に抗して押し下げられると、操作ロッド５４Ｌの下部に取り付けられたマグネット５Ｍも同時に押し下げられる。
このマグネット５Ｍの押し下げを磁気感知式センサー５３にて検知する。
そして、座部３の昇降用又は下降用のいずれのフットスイッチペダル５４かに応じてモータ１８に電流が流れ、モータ１８が正回転あるいは逆回転駆動される。
【００３６】
このモータ１８の駆動により、駆動軸１８Ｓと直結されたスクリューロッド１２が回転する。
このスクリューロッド１２には、螺合体１３が螺合されているので、スクリューロッド１２の回転に応じて螺合体１３がスクリューロッド１２に添って移動し、これに合わせて内筒１１が移動する。
例えば、座部３を、図１の下降状態から上昇させる場合には、スクリューロッド１２を正回転させることにより内筒１１が上昇し、座部３が上昇する。
【００３７】
そして、座部３が最上昇位置に達するまでにモータ１８を停止すれば、内筒１１及び座部３はその位置で停止し、保持される。
さらに、モータ１８を連続して回転駆動させると、内筒１１が上昇し、最上昇位置に達すると螺合体１３に取り付けたマグネット１３Ｍを上部のセンサー１５ａが検出し、モータ１８は停止されて、座部３の上昇は停止する。
【００３８】
このとき、座部３を旋回させる必要があれば、座部３又は背もたれ４を持って希望する方向へ押すように旋回させると、座部３を固定した内筒１１が座部３の旋回に応じて同時に旋回する。
【００３９】
このとき、外筒１０内に嵌挿されたボール１４Ｂが、環状ばね板製のボール留め具１４Ｃにて押圧され、内筒１１のガイド溝１１１に嵌合されることにより旋回が規制されているが、内筒１１の強い旋回力により、ボール１４Ｂがボール留め具１４Ｃを押し広げるようになり、ガイド溝１１１より内筒１１の外周面方向へ移動するようになる。
このようにして、ボール１４Ｂは、ガイド溝１１１よりはみ出て、内筒１１の外周面に添って転動するようになり、内筒１１の旋回が可能となることにより、座部３の旋回が許容される。
そして、隣接された次のガイド１１１溝の位置までくると、再びボール１４Ｂはボール留め具１４Ｃにて押し戻され、このガイド溝１１１に嵌合され、内筒１１及び座部３の旋回が停止される。
この内筒３の周方向にガイド溝１１１が９０度間隔で配設されているので、座部３及び内筒１１の旋回角度は、９０度ごとに規制されるとともに、内筒１１と外筒１０間にてボール１４Ｂ及びホール押え具１３Ｃを組み込むように構成しているので、従来のように嵩張らないので、外観がスマートになる。
【００４０】
また、座部３を下降する場合には、下降操作用のフットスイッチペダル５４を同じようにして踏み込むことにより、モータ１８がこのフットスイッチペダル５４に接続された制御回路により逆回転駆動され、スクリューロッド１２を逆回転させて内筒１１及び座部３を降下させる。
なお、最下降位置に達すると、下部のセンサー１５ｂにてマグネット１３Ｍを検出してモータ１８を停止し、座部３の下降を停止する。
【００４１】
モータ１８の回転制御により、スクリューロッド１２が回転する場合、スクリューロッド１２と螺合体１３間にてバックラッシュが生じ、座部３の昇降動作が円滑に行われないことが考えられる。
このため、本実施例の椅子の昇降装置においては、螺合体１３をキックばねで以て構成したばね１３Ｃを介して上下２つの主螺合体１３Ａと副螺合体１３Ｂとを所定の間隔をあけ、かつ個別的に捻回可能に連結接続しているので、この複合式の螺合体１３によりバックラッシュが確実に吸収され、ショックを与えることなく、円滑な昇降動作が行えるものとなる。
【００４２】
また、フットスイッチペダル５４には、操作ロッド５４Ｌを摺動可能に嵌挿支持したガイド部５０にストッパー５８を形成しているため、ストッパー５８にフットスイッチペダル５４の下面が接触して過剰な踏み込みを防止できるようにされている。
【００４３】
【発明の効果】
本発明の椅子の昇降装置は、座部を昇降操作するフットスイッチ機構を、椅子の脚部の脚片間の隙間に配設するようにしているため、従来の床置式のフットスイッチのように、その設置場所が移動したり、作業中に躓くことがなく、また、安定して操作できるため、作業性を向上することができ、また、脚部の中心に、駆動軸を上方に向けて配設したモータの駆動軸により回転するスクリューロッドを備えた座部昇降機構の内筒と外筒間に旋回規制機構及び昇降行程規制機構とを組み込むようにしているので、スクリューロッド、内筒、及び外筒が嵌挿式構造となり、埃等の侵入が防止できることと相俟って、座部の昇降及び旋回を、小形で簡易な機構によって、円滑に行うことができ、デザイン的にもスマートな外観とすることができ、コスト的にも低廉で、実用的な理美容用椅子を提供することができる。
【００４４】
また、フットスイッチ機構を、操作ボックス内に配設した駆動操作用基板に取り付けた磁気感知式センサーと、操作ボックスに踏み込み可能に配設し、かつ踏み込むことにより磁気感知式センサーを作動させるマグネットを備えたフットスイッチペダルとから構成することにより、磁気感知式センサーをマグネットにて作動させるようにして、無接点とすることができるので、埃の多い作業所での電気接点の接触不良事故を未然に防止することができ、また、使用部品点数が少なくなり、機構が簡易であることと相俟って、埃等による故障の発生を低減し、作業の確実性を向上することができる。
【００４５】
また、座部昇降機構を、スクリューロッドと、スクリューロッドに外嵌した内筒と、内筒の下端部に固定しスクリューロッドと螺合した主螺合体と、主螺合体とキックばねを介して接続され、スクリューロッドに螺合する副螺合体と、内筒に外嵌した外筒とから構成することにより、埃等による故障の発生を低減することができるとともに、スクリューロッドと主螺合体間のバックラッシュを副螺合体により吸収することにより座部の昇降動作が円滑となり、使用感を向上させることができる。
【００４６】
また、旋回規制機構を、外筒に形成したボール嵌挿孔に嵌挿し、ボール留め具により中心に向けて常時押圧状態に保持したボールと、ボールが摺動可能に嵌合されるとともに、設定圧以上の旋回力にてボールの嵌合が解除される、内筒の長手方向に形成したボール嵌挿溝とより構成することにより、小形で簡易な機構によって、昇降行程のいずれの位置においても、座部の旋回及び旋回規制を機能させることができる。
【００４７】
また、昇降行程規制機構を、外筒の座部昇降行程の最上昇位置及び最下降位置に取り付けた磁気感知式センサーと、磁気感知式センサーを作動させる内筒の下端位置に取り付けたマグネットとから構成し、マグネットをリング状に形成することにより、内筒の下端位置に取り付けたマグネットがリング状に形成されているため、内筒及びマグネットが座部と共に旋回してどの角度にあっても、このマグネットを外筒に取り付けた磁気感知式センサーにて感知することができるとともに、無接点方式のため、スクリューロッドや螺合体等の可動部に塗られたグリスが飛散し、センサー等に付着しても支障がなく、確実に動作させることができる。
【図面の簡単な説明】
【図１】本発明の椅子の昇降装置の実施の形態を示し、（Ａ）は座部昇降機構要部の正面縦断面図、（Ｂ）はＢ−Ｂ線による断面図である。
【図２】昇降体を示し、（Ａ）は正面縦断面図、（Ｂ）はＢ−Ｂ線による断面図である。
【図３】昇降体の変形実施例を示し、（Ａ）は正面縦断面図、（Ｂ）はＢ−Ｂ線による断面図である。
【図４】理美容用椅子の全体を示した側面図である。
【図５】駆動操作を行うフットスイッチ機構部の断面図である。
【図６】フットスイッチ機構部を理美容用椅子の脚部に取り付けられた状態を示す断面図である。
【図７】同平面図である。
【図８】制御回路の説明図である。
【符号の説明】
１    座部昇降機構
１０  外筒
１１  内筒
１２  スクリューロッド
１３  螺合体
１４  旋回規制機構
１４Ｂ  ボール
１５  昇降行程規制機構
１８  モータ
２    脚部
３    座部
４    背もたれ
５    フットスイッチ機構
５０  ガイド部
５１  操作ボックス
５２  駆動操作用の基板
５３  磁気感知式センサー
５４  フットスイッチペダル
５４Ｌ  操作ロッド
５８  ストッパー
５Ｍ  マグネット
７    裏板
【図１】
0003569483.tif 000002
【図２】
0003569483.tif 000003
【図３】
0003569483.tif 000004
【図４】
0003569483.tif 000005
【図５】
0003569483.tif 000006
【図６】
0003569483.tif 000007
【図７】
0003569483.tif 000008
【図８】
0003569483.tif 000009